【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
光透過性の複製ラッカー層（２）であり、該複製ラッカー層（２）の第一の面（２１）の側に回折性のレリーフ構造（３）が備えられる複製ラッカー層と、部分的にのみ形成され、前記レリーフ構造（３）に配置される、光透過性のカラーラッカー層（４）と、少なくとも部分的に形成され、前記複製ラッカー層（２）の前記第一の面（２１）の側に配置される反射層（５）と、を含むフィルム（１）であって、前記カラーラッカー層（４）と前記反射層（５）とが重なる該フィルム（１）のエリア（６３）において、前記カラーラッカー層（４）が、前記複製ラッカー層（２）と前記反射層（５）との間に配置され、
前記カラーラッカー層（４）が、パターンで、または、格子として、形成され、
ｉ）前記カラーラッカー層（４）の隣り合うパターンまたは格子エレメント（４０）が、50から250 μm、好ましくは70から200 μmの範囲にある相互の距離（７４）を有し、及び／または、
ｉｉ）前記パターンまたは格子エレメント（４０）のラインの幅、ドットの直径または個々のエレメントの直径（７３）が、50から250 μm、好ましくは70から200 μmの範囲にあること、
を特徴とするフィルム。
【請求項２】
前記カラーラッカー層（４）が、0.1から6 μm、好ましくは0.2から4 μmの範囲の厚みを有し、及び／または、
前記レリーフ構造（３）の表面と前記カラーラッカー層（４）との重なりが、前記レリーフ構造（３）の表面全体の5から95%の範囲、好ましくは、25から75%の範囲、さらに好ましくは、45から55%の範囲にあり、及び／または、
前記レリーフ構造（３）の深度（３０）が、50から1000 nm、好ましくは100から500 nmの範囲にあり、及び／または、
前記レリーフ構造（３）が、100から1000 ライン/mm、好ましくは、100から500 ライン/mmの範囲のラインの周波数（３１）を備えた、ライン状の構造（７１）であること、
を特徴とする請求項１に記載のフィルム（１）。
【請求項３】
前記複製ラッカー層（２）及び前記カラーラッカー層（４）が、少なくとも0.1値が異なる屈折率を有すること、
を特徴とする請求項１または２に記載のフィルム（１）。
【請求項４】
該フィルム（１）が、前記複製ラッカー層（２）の第二の面の側に、保護ラッカー層（９）を有すること、
を特徴とする請求項１から３のいずれか１項に記載のフィルム（１）。
【請求項５】
該フィルム（１）が、前記複製ラッカー層（２）の前記第一の面（２１）の側に、前記複製ラッカー層（２）と、前記カラーラッカー層（４）と、前記反射層（５）とをカバーする、接着層（６）を有すること、
を特徴とする請求項１から４のいずれか１項に記載のフィルム（１）。
【請求項６】
請求項１から５のいずれか１項に記載の、セキュリティエレメントの形態のフィルム（１）を、少なくとも一つ有する、
有価ドキュメント（１０）を製造するためのセキュリティペーパー。
【請求項７】
請求項１から５のいずれか１項に記載の、セキュリティエレメントの形態のフィルム（１）を、少なくとも一つ有する、紙幣、身分証等の有価ドキュメント（１０）。
【請求項８】
キャリアフィルム（７）と、該キャリアフィルム（７）から剥離可能な、請求項１から５のいずれか１項に記載の、転写層の形態のフィルム（１）と、を有する、セキュリティエレメントを製造するための転写フィルム（５０）。
【請求項９】
前記キャリアフィルム（７）と前記転写層（１）との間に剥離層（８）が配置されること、
を特徴とする請求項８に記載の転写フィルム（５０）。
【請求項１０】
請求項１から５のいずれか１項に記載のフィルム（１）の製造プロセスであって、
ａ）回折性のレリーフ構造（３）が、光透過性の複製ラッカー層（２）の第一の面（２１）の側に形成され、
ｂ）ステップａ）の後に、光透過性のカラーラッカー層（４）が、部分的にのみ、前記レリーフ構造（３）に適用され、その結果、前記カラーラッカー層（４）が、パターンで、または、格子として、形成され、
ｉ）前記カラーラッカー層（４）の隣り合うパターンまたは格子エレメント（４０）が、50から250 μm、好ましくは70から200 μmの範囲にある相互の距離（７４）を有し、及び／または、
ｉｉ）前記パターンまたは格子エレメント（４０）のラインの幅、ドットの直径または個々のエレメントの直径（７３）が、50から250 μm、好ましくは70から200 μmの範囲にあり、
ｃ）ステップｂ）の後に、好ましくは金属層の形態の反射層（５）が、前記複製ラッカー層（２）の前記第一の面（２１）の側に、少なくとも部分的に適用される。
【請求項１１】
該プロセスが、ロール・トゥ・ロールプロセスを行い、及び／または、
前記カラーラッカー層（４）が、好ましくはグラビア印刷、シルクスクリーン印刷、またはフレキソ印刷を用いて印刷されること、
を特徴とする請求項１０に記載のプロセス。
【請求項１２】
前記カラーラッカー層（４）が、前記レリーフ構造（３）に対して、100から1000 μm、好ましくは200から600 μmの範囲の合わせ公差で、合わせ配置されること、
を特徴とする請求項１０または１１に記載のプロセス。
【請求項１３】
前記カラーラッカー層（４）を形成するために用いられるカラーラッカーが、前記レリーフ構造（３）の表面と前記カラーラッカー層（４）との重なりが少ない場合、より強く着色されること、
を特徴とする請求項１０から１２のいずれか１項に記載のプロセス。
【請求項１４】
前記複製ラッカー層（２）が、ステップａ）の前に、キャリアフィルム（７）に印刷され、好ましくは、
前記回折性のレリーフ構造（３）の熱複製により生じる前記複製ラッカー層（２）の歪みが、前記キャリアフィルム（７）に配置された合わせマークの光学的検出により認識され、印刷ロールまたは運搬装置のエレメントの調整により、補正されること、
を特徴とする請求項１０から１３のいずれか１項に記載のプロセス。
【請求項１５】
ステップｃ）において、前記反射層（５）が、好ましくは脱金属化プロセスにより、部分的に除去されること、
を特徴とする請求項１０から１４のいずれか１項に記載のプロセス。 
【手続補正２】
【補正対象書類名】明細書
【補正対象項目名】００４９
【補正方法】変更
【補正の内容】
【００４９】
【図１】本発明による有価ドキュメントである。
【図２】本発明によるフィルムのラインII−IIに沿う断面である。
【図３】比較的薄いラッカー層を備える本発明によるフィルムの層構造の詳細である。
【図４】比較的厚いラッカー層を備える本発明によるフィルムの層構造の詳細である。
【図５】本発明による転写フィルムの断面である。
【図６】四つの異なるエリアを備える本発明によるフィルムの断面である。
【図７】ライン格子の形態のカラーラッカー層を備えるレリーフ構造の上面図である。
【図８】ドット格子の形態のカラーラッカー層を備えるレリーフ構造の上面図である。
【手続補正３】
【補正対象書類名】明細書
【補正対象項目名】００６８
【補正方法】変更
【補正の内容】
【００６８】
カラーラッカー層をプリントする際、ライン状の構造７１は、カラーラッカーに、ライン７１方向の毛管効果を働かせ、その結果、ライン７１に沿って、カラーラッカーエレメントが、線７１の方向に対して、15から35%の範囲で拡大されることを留意されたい。図８のドットエレメント４０に適用されると、図８に示すように、点形状４０は、楕円形の形状８０となる。